(57)【要約】【課題】指針の基部を覆うキャップの頂上部に、基部で受光した光を透過させる透過部を設けた指針計器において、透過部の部位間で輝度にばらつきが生じるのを抑制できる指針計器を提供する。【解決手段】指針３の基部３２の上面にリング部３０４が形成される。基部３２を覆うキャップ４は、頂上部に開口孔４１ｃが形成されたキャップ本体４１と、開口孔４１ｃを塞ぐ内側カバー４２とを有する。リング部３０４はキャップ本体４１と内側カバー４２とで形成されるリング状のスリットに嵌る形に設けられる。指針３のボス部３４と光源８との間に指針３と別体の導光部６が設けられる。導光部６は受光部６１で受光した光を指針３の回転軸線Ｌ１が位置する中央位置にて集束する形状に形成される。基部３２の上面の中央位置には、回転軸線Ｌ１回りの全方向に光を反射させる反射面３７が形成される。リング部３０４は反射面３７より径方向外側に配置される。【選択図】図２
2017207308.tif 000002
【特許請求の範囲】
【請求項１】
導光性を有する部材で形成され、一端側に設定された回転軸線（Ｌ１）の回りに回転することで計測値を指示する指針（３）と、
前記指針の背後において前記回転軸線を中心とした円周上に配置されて前記指針の方向に発光する複数の光源（８）と、
前記指針のうち前記回転軸線が設定される一端側を基部（３２）として、前記基部と前記光源の間の位置において前記指針と別体で設けられるとともに、導光性を有する部材で形成され、前記指針を回転させる駆動部（１１０）のシャフト（１１１）に接続されて、そのシャフトの回転により前記回転軸線の回りに回転し、前記光源に対向する位置に前記光源からの光を受光する環状の受光部（６１）を有して、前記受光部で受光した各光源からの光を前記回転軸線が位置する中央位置にて集束する形状に形成され、その中央位置に集束した光を、前記基部の前記回転軸線の位置に設定された指針受光部（３５）まで導く導光部（６）と、
遮光性を有する部材で形成され、前記基部を覆うキャップ（４）と、
前記キャップの頂上部（４１ａ、４２）に露出した形で設けられ、前記指針受光部で受光した光が透過する透過部（３０４）と、
を備える指針計器（１）。
【請求項２】
前記頂上部には開口孔（４１ｃ）が形成されており、
前記透過部は、前記基部に一体、かつ、前記開口孔に嵌る凸状に形成されている請求項１に記載の指針計器。
【請求項３】
前記透過部は、前記開口孔の内側において前記開口孔の周縁に沿ったリング状に形成され、
前記頂上部は、前記開口孔が形成された外側部（４１ａ）と、前記開口孔における前記透過部の内側の空間を覆う内側部（４２）とに分割されており、
前記内側部は前記基部に固定されている請求項２に記載の指針計器。
【請求項４】
前記基部には、前記指針受光部で受光した光を、前記回転軸線の回りの全方向に反射させる反射面（３７）が形成されており、
前記透過部は、前記回転軸線を中心とした円における径方向の、前記反射面より外側に配置されている請求項３に記載の指針計器。
【請求項５】
前記内側部と前記基部とは爪嵌合により固定されている請求項３又は４に記載の指針計器。
【請求項６】
前記内側部と前記基部との固定箇所は、前記透過部の周方向に沿って複数設けられている請求項３〜５のいずれか１項に記載の指針計器。
【請求項７】
前記指針は、前記回転軸線の位置において前記基部の背面（３３ｂ）から突出するボス部（３４）を有し、
前記導光部は、前記回転軸線の位置において前記ボス部に対向して前記回転軸線の方向に延びた対向部（６３）を有し、
遮光性を有する部材で形成され、前記ボス部及び前記対向部の両方の外周面に接触した形で前記両方の外周面を取り囲むように設けられた筒状部（５１、７４）と、
前記基部の背面を覆うように設けられ、遮光性を有する部材で形成された第１遮光部（５２）と、
前記導光部の、前記受光部から前記対向部に繋がるまでの部分（６２）の外周面に接触した形でその外周面を取り囲むように設けられ、遮光性を有する部材で形成された第２遮光部（７１）と、
を備える請求項１〜６いずれか１項に記載の指針計器。
【請求項８】
前記筒状部は、前記第１遮光部と前記第２遮光部の一方との一体成形品である請求項７に記載の指針計器。
【請求項９】
前記透過部の背後に位置する前記基部の背面は平坦面に形成されている請求項１〜８のいずれか１項に記載の指針計器。
【発明の詳細な説明】
【技術分野】
【０００１】
本発明は指針計器に関し、特に照明可能な指針を有した指針計器に関する。
【背景技術】
【０００２】
従来、指針を導光性を有する部材で形成して、その指針を光源からの光により照明するとともに、指針の基部を覆うキャップの頂上部に、基部で受光した光を透過させる透過部を設けた指針計器が知られている（例えば特許文献１参照）。
【先行技術文献】
【特許文献】
【０００３】
【特許文献１】特許第５５３３７４６号公報
【発明の概要】
【発明が解決しようとする課題】
【０００４】
ところで、特許文献１の構成では、透過部のうち光源からの距離が近い部分は光の透過量が多い一方で、光源からの距離が遠い部分は光の透過量が少なく、透過部の部位間で輝度にばらつきが生じるという問題がある。
【０００５】
本発明は上記問題に鑑みてなされたものであり、指針の基部を覆うキャップの頂上部に、基部で受光した光を透過させる透過部を設けた指針計器において、透過部の部位間で輝度にばらつきが生じるのを抑制できる指針計器を提供することを課題とする。
【課題を解決するための手段】
【０００６】
上記課題を解決するため、本発明に係る指針計器（１）は、
導光性を有する部材で形成され、一端側に設定された回転軸線（Ｌ１）の回りに回転することで計測値を指示する指針（３）と、
前記指針の背後において前記回転軸線を中心とした円周上に配置されて前記指針の方向に発光する複数の光源（８）と、
前記指針のうち前記回転軸線が設定される一端側を基部（３２）として、前記基部と前記光源の間の位置において前記指針と別体で設けられるとともに、導光性を有する部材で形成され、前記指針を回転させる駆動部（１１０）のシャフト（１１１）に接続されて、そのシャフトの回転により前記回転軸線の回りに回転し、前記光源に対向する位置に前記光源からの光を受光する環状の受光部（６１）を有して、前記受光部で受光した各光源からの光を前記回転軸線が位置する中央位置にて集束する形状に形成され、その中央位置に集束した光を、前記基部の前記回転軸線の位置に設定された指針受光部（３５）まで導く導光部（６）と、
遮光性を有する部材で形成され、前記基部を覆うキャップ（４）と、
前記キャップの頂上部（４１ａ、４２）に露出した形で設けられ、前記指針受光部で受光した光が透過する透過部（３０４）と、
を備える。
【０００７】
本発明によれば、指針の基部と光源の間に導光部を備えて、その導光部は各光源からの光を指針の回転軸線が位置する中央位置にて集束する形状に形成されているので、中央位置に光を集束した形で基部に入射させることができる。これにより、光源の位置の影響を抑制した形で基部に光を入射できるので、透過部の部位間で輝度にばらつきが生じるのを抑制できる。
【図面の簡単な説明】
【０００８】
【図１】指針計器の正面図である。
【図２】図１のＩＩ−ＩＩ線で計器を切ったときの断面図である。
【図３】指針の正面図である。
【図４】図１のＩＶ−ＩＶ線で指針を切ったときの断面図である。
【図５】指針の側面図である。
【図６】指針の背面図である。
【図７】キャップの側面図である。
【図８】図２のＡ部拡大図である。
【図９】変形例に係る指針計器の断面図である。
【発明を実施するための形態】
【０００９】
以下、本発明の実施形態を図面を参照しながら説明する。図１、図２に示す計器１は、車両の運転手が視認できる位置（例えば、車室内の運転席に対向する位置）に搭載されて、車両の状態（車速、エンジン回転数等）を指針にて指示する形で表示する装置である。なお、計器１は、例えば、計器１の表示領域の隣に他の車両状態の表示領域を有したコンビネーションメータの一部として構成されている。以下、計器１の構成の詳細を説明する。
【００１０】
図２に示すように、計器１は、ポリカーボネート板材などの光を透過する透過性板（透明板）から構成された文字板２を備えている。文字板２の表面（目視者側の面）には、後述する指針３の回転方向に沿って、計測対象となる車両状態（例えば車速、エンジン回転数など）を示す指標部（図示外）が形成されている。その指標部は、指針３の回転軸線Ｌ１（図２参照）を中心とした円弧状又は円状に形成されている。指標部は数字と目盛とから構成されている。文字板２の表面は、指標部を含む照明部以外の部分が遮光性のインク材料で印刷されている。言い換えると、文字板２の照明部は光を透過し、それ以外の部分は遮光する。なお、この遮光性のインク材料の印刷層は、文字板２の背面に形成されたとしても良い。
【００１１】
文字板２の表面側には指針３が配置されている。指針３は、アクリル樹脂、ポリカーボネート等の導光性を有する部材、言い換えると光を透過する部材で形成されている。指針３を構成する導光性部材は無色透明である。指針３は、一端側を基点として文字板２の表面に平行に回転可能に設けられる。指針３は、回転軸線Ｌ１が設定される一端側が遮光性のキャップ４に覆われている。指針３のキャップ４で覆われた部分を基部３２、キャップ４から露出した部分を指示部３１とする。基部３２は、図３に示すように、正面視で円形に形成された本体部３２ａと、その本体部３２ａの外周部から本体部３２ａの径方向外側に突出した固定部３２ｂとを備えている。
【００１２】
本体部３２ａの背面３３ｂには、背面３３ｂに直角方向に突出するボス部３４が形成されている。そのボス部３４は、指針３を図３の正面から見たときに指示部３１の中心線Ｌ２上の位置Ｏに形成される。さらに、図３の正面から見たときのボス部３４の形成位置Ｏは、正面視円形の本体部３２ａの中心位置に設定される。なお、ボス部３４の形成位置Ｏは、正面視円形のキャップ４の中心位置でもある。
【００１３】
ボス部３４は、内部に空洞部が存在しない形状に形成されるとともに、例えば図２の紙面に垂直な平面で切ったときの断面が円状となる形状に形成される。またボス部３４は軸方向のどの位置においても一定径となる形状つまり円柱状に形成される。ボス部３４の径は、遮光性の筒状部５１の内径と同じに設定されている。そして、ボス部３４は筒状部５１の一端側の開口から挿入されている。
【００１４】
ボス部３４の中心軸線が指針３の回転軸線Ｌ１となる。また、ボス部３４の先端部３５は、回転軸線Ｌ１に直角な平面状に形成されている。なお、先端部３５の外周には面取りが施されている。先端部３５が、後述する導光部６からの光を受光する指針受光部として機能する。
【００１５】
本体部３２ａの上面（目視者側の面）のうちボス部３４を間に挟んで指針受光部３５に対向する部分、言い換えると回転軸線Ｌ１が位置する中央部分には、指針受光部３５で受光した光が入射されて、その入射光を回転軸線Ｌ１の回りの全方向に反射させる反射面３７が形成されている。反射面３７は、入射光を直角方向に反射させるよう、ボス部３４の中心軸線に対して所定角度（例えば４５度程度）の傾斜面に形成される。詳しくは、反射面３７は、本体部３２ａの上面を、回転軸線Ｌ１の位置を頂点とした三角錐状に凹ませた形状に形成される。この三角錐状の反射面３７によれば、ボス部３４からの光を、回転軸線Ｌ１回りの全方向に反射させることができ、指針３内に光を効率的に伝播させることができる。
【００１６】
反射面３７にて直角方向に反射した光を指示部３１の目視者側の面３６（表面）に効率的に当てるために、その面３６は、先端にいくにしたがって次第に背面３３ａとの間隔が短くなるように若干の傾斜が付けられた形状に形成されている。また、目視者側の面３６は、その面３６から光を出射可能とするために光が透過可能に形成されている。これによって、指示部３１は照明可能となる。一方、指示部３１の背面３３ａは、ボス部３４の中心軸線に対して直角な面に形成されている。また、背面３３ａからの光の漏れを抑制するためや照明時の色調を調整するために、背面３３ａには遮光性を有する材料が印刷されている。
【００１７】
また、本体部３２ａの背面３３ｂのうち少なくとも後述のリング部３０４の背後に位置する部分は平坦面に形成されている。本実施形態では、図６に示すように、背面３３ｂのうち、指示部３１との接続部３３ｃを除く部分３３ｄは、ボス部３４の中心軸線に直角かつ連続した平坦面に形成されている。その平坦部３３ｄは、指示部３１の背面３３ａの印刷色と同色の、又は異なる色の、遮光性を有する材料が印刷されている。この印刷色により、リング部３０４の照明時の色調を定めることができる。なお、平坦部３３ｄの印刷は無くても良い。この場合は、光源８の発光色がそのままリング部３０４の照明時の色調となる。
【００１８】
固定部３２ｂは、指針３をキャップ４及び上側カバーバルブ５に固定するための部分である。固定部３２ｂは、ボス部３４の中心軸線の位置Ｏ（図１、図３参照）を基準にして、指示部３１との角度が１８０度の位置Ｐ１（図１、図３参照）と、±９０度の位置Ｐ２、Ｐ３（図１、図３参照）の３箇所に形成されている。なお、固定部３２ｂは、それら位置Ｐ１、Ｐ２、Ｐ３に加えてそれ以外の角度位置に形成されたとしても良い。
【００１９】
各固定部３２ｂには、表面から背面までを貫通する貫通孔３９が形成されている（図２、図４参照）。その貫通孔３９は回転軸線Ｌ１に平行に形成される。各貫通孔３９には、キャップ４に形成されたボス部４４が挿入されている（図２参照）。そのボス部４４の先端に熱カシメ４５（図１、図２参照）が施されることで、指針３とキャップ４と上側カバーバルブ５とは固定つまり一体化されている。
【００２０】
本体部３２ａの上面における外周部には目視者側の方向に突出したリング部３０４が本体部３２ａに一体に形成されている。リング部３０４は光が透過可能に形成されて、基部３２内を進行した光を外部に出射させる部分である。リング部３０４は、図３の正面視で回転軸線Ｌ１を中心とした円の全周に亘って形成されている。つまり、リング部３０４は、正面視で切欠き部が存在しない円を描くリング状に形成されている。また、リング部３０４は、後述のキャップ４の頂上部に形成された開口孔４１ｃ（図１、図２参照）の内側において開口孔４１ｃの周縁に沿ったリング状に形成されている。また、リング部３０４は、指針３の回転軸線Ｌ１を中心とした円における径方向の、反射面３７より外側に配置されている。また、リング部３０４は、ボス部３４の中心軸線に平行な方向に延びており、つまり円筒状に形成されている。
【００２１】
リング部３０４は、図１、２に示すように、キャップ４の頂上部に露出する形に設けられる。詳しくは、リング部３０４は、キャップ４の開口孔４１ｃと、その内側に配置される内側カバー４２との間に形成されるリング状のスリットに嵌められている。そして、リング部３０４の先端側の一部が頂上部から目視者側に突出している。なお、リング部３０４の内側には、後述の内側カバー４２（図２参照）が配置される空間３０５（図４参照）が形成される。その空間３０５の底部が本体部３２ａの上面となる。
【００２２】
また、本体部３２ａには内側カバー４２を固定するための貫通孔３０２が形成されている。その貫通孔３０２は、本体部３２ａの上面と背面との間を貫通する形に形成されている。貫通孔３０２は、図３に示すように回転軸線Ｌ１を中心とした円周上の複数箇所に形成されている。詳しくは、貫通孔３０２は、固定部３２ｂと同じ角度位置Ｐ４、Ｐ５、Ｐ６に形成されている。すなわち、貫通孔３０２は、回転軸線Ｌ１の位置Ｏ（言い換えるとボス部３４の中心軸線）を基準にして、指示部３１との角度が１８０度の位置Ｐ４（図１、図３参照）と、±９０度の位置Ｐ５、Ｐ６（図１、図３参照）の３箇所に形成されている。なお、貫通孔３０２の形成位置Ｐ４、Ｐ５、Ｐ６は、リング部３０４の内側かつリング部３０４の円周方向に沿った位置でもある。
【００２３】
本体部３２ａのうち貫通孔３０２が形成される部分３０１（図４参照）は、周囲に比べて肉厚が小さい形状に形成されている。この部分３０１を薄肉部として、薄肉部３０１は、図４に示すように固定部３２ｂと反射面３７の間に位置する。また、薄肉部３０１の背面側には、後述の爪部４６の先端部４８（図８参照）が配置される空間３０３（図２参照）が形成されている。
【００２４】
基部３２はキャップ４で覆われている。そのキャップ４はＰＰ（ポリプロピレン）樹脂、ＡＢＳ樹脂等の遮光性を有する部材で例えば黒色に形成されている。キャップ４は、図１の正面視で円形に形成されており、さらに正面側が閉塞され、背面側が開口した形状に形成されている。詳しくは、キャップ４は、キャップ４の外形を構成するキャップ本体４１と、そのキャップ本体４１に形成された開口孔４１ｃの内側に配置される内側カバー４２とに分割されている。
【００２５】
キャップ本体４１は、図２に示すように、円形の開口孔４１ｃが形成されたリング状の頂上部４１ａと、その頂上部４１ａの外周縁から文字板２側に起立した筒状の側面部４１ｂとを有する。頂上部４１ａは、円形の外周縁を有して、その外周縁が描く円の内側で同心の円を描くように開口孔４１ｃが形成されている。つまり、頂上部４１ａは、同心円の外周縁及び内周縁を有した形状に形成されている。外周縁及び内周縁が描く円の中心が、指針３の回転軸線Ｌ１の位置に配置される。
【００２６】
頂上部４１ａの背面には、側面部４１ｂの開口縁４０１（図２参照）側に突出するボス部４４が形成されている。そのボス部４４は回転軸線Ｌ１に平行に設けられる。ボス部４４は、指針３の貫通孔３９に重なる位置Ｐ１、Ｐ２、Ｐ３（図１、図３参照）に形成されている。各ボス部４４が、基部３２の貫通孔３９及び上側カバーバルブ５の貫通孔５３に挿入されている。そして、上側カバーバルブ５の背面遮光部５２の背面側において、ボス部４４の先端に上述したように熱カシメ４５が施されている。
【００２７】
キャップ本体４１の側面部４１ｂは、一端が頂上部４１ａの外周縁に接続し、他端が円形の開口縁４０１を形成する円筒状に形成されている。図７に示すように、側面部４１ｂには、キャップ４から指示部３１を露出させるためのスリット４３が形成されている。そのスリット４３は、キャップ４の背面側（開口側）に開いた形状に形成されている。そして、キャップ本体４１の組付けは、キャップ本体４１を基部３２の上から被せる形で行われ、この際に、指示部３１がスリット４３を通ることで、指示部３１と側面部４１ｂとが干渉せずに、キャップ本体４１を組み付けることが可能となる。
【００２８】
なお、キャップ本体４１の開口縁４０１と文字板２との間には、干渉防止のために例えば０．７ｍｍ程度の安全ギャップ１２０（図２参照）が設定されている。
【００２９】
内側カバー４２は、リング部３０４の内側に形成される空間３０５（図４参照）を閉塞する形に設けられる。内側カバー４２は、図１の正面視で円形の円板状に形成されている。内側カバー４２の外周縁が描く円の中心は、指針３の回転軸線Ｌ１の位置に配置される。また、内側カバー４２の外周縁が描く円の径は、開口孔４１ｃが描く円の径よりも若干小さい。つまり、内側カバー４２の外周縁と、開口孔４１ｃの縁部（言い換えると頂上部４１ａの内周縁）との間に、リング状のスリット（隙間）を形成している。そのスリットは、リング部３０４と同じ幅又は若干大きい幅に設定されている。そして、上述したように、リング状のスリットにリング部３０４が嵌められることで、リング部３０４はキャップ４の頂上部から露出している。なお、キャップ本体４１の頂上部４１ａと内側カバー４２とで、キャップ４の頂上部を構成している。
【００３０】
内側カバー４２の背面には、キャップ４の中心軸線（言い換えると指針３の回転軸線Ｌ１）と平行に突出した爪部４６（図８参照）が形成されている。爪部４６は、指針３の貫通孔３０２に重なる位置Ｐ４、Ｐ５、Ｐ６（図１、図３参照）に形成されている。つまり、爪部４６は、キャップ４の中心軸線回りの円周方向に沿って３箇所に形成されている。
【００３１】
爪部４６は、図８に示すように２つの爪部４６ａ、４６ｂから構成されている。２つの爪部４６ａ、４６ｂは、それらの中間に位置する線Ｌ３（以下、爪部中心線という）に対称に形成されている。爪部４６ａ、４６ｂは、それぞれ、一端が内側カバー４２の背面に接続してその背面の面外方向に延びた延設部４７と、その延設部４７の、内側カバー４２に接続された側と反対側の端部に接続して、延設部４７の側方に張り出した先端部４８とを有する。先端部４８の張り出し方向は、爪部中心線Ｌ３を中心とした円における径方向外側の方向である。
【００３２】
爪部４６ａ、４６ｂの根本側は互いに繋がっている。そして爪部４６ａ、４６ｂの内側の面における根本側４６ｃは、図８の方向から見てＶ字に形成されている。爪部４６ａ、４６ｂの内側の面におけるＶ字形状部４６ｃに続く部分４６ｄは、間隔を空けて平行に向き合った面に形成されている。つまり、両先端部４８は間隔を空けて配置されている。また、先端部４８は、先端にいくにしたがって次第に外径ｄ（図８参照）が小さくなっていく形状に形成されている。そして、先端部４８の先端においては外径と内径とが略一致している。
【００３３】
延設部４７が貫通孔３０２の内部に配置されて、先端部４８が薄肉部３０１の背面に引っ掛かることで、内側カバー４２は基部３２に固定されている。内側カバー４２を基部３２に固定する手順は、爪部４６の先端部４８を貫通孔３０２の位置に合わせた状態で、内側カバー４２を下に押し込む。このとき、先端部４８の表面４８ａが貫通孔３０２の開口縁に当たり、この状態でさらに内側カバー４２を押し込むと、その押し込み力が、斜面状の表面４８ａと貫通孔３０２の開口縁との接触により径方向内側への力に変換される。その径方向内側への力により、爪部４６ａ、４６ｂ間の間隔が狭くなって、図８の斜線ハッチング部４９で示すように、先端部４８が貫通孔３０２の内部に挿入可能となる。そして、最終的に先端部４８が貫通孔３０２の他方の開口から出るまで内側カバー４２を押し込むと、先端部４８間の間隔が広がって、各先端部４８が薄肉部３０１の背面に引っ掛かる。これにより、爪部４６が貫通孔３０２から抜けてしまうこと、つまり内側カバー４２が基部４２から外れてしまうのを抑制できる。
【００３４】
キャップ４の内部には基部３２の他に上側カバーバルブ５が配置されている。上側カバーバルブ５は、ＰＰ（ポリプロピレン）樹脂、ＡＢＳ樹脂等の遮光性を有する部材で例えば黒色の板状に形成されている。なお、上側カバーバルブ５は、導光性を有する部材に接触した部分における光の反射効率を上げるために、遮光性を有する部材のうちでも反射効率の高い部材（例えば白色部材）で形成されたとしても良い。また、上側カバーバルブ５は、導光性を有する部材に接触した内周面は白色部材で形成され、他の部分は黒色部材で形成されたとしても良い。さらに、上側カバーバルブ５の内周面に、反射効率を高めるために鏡面仕上げを施しても良い。
【００３５】
上側カバーバルブ５は、筒状に形成されてその中心軸線が指針３の回転軸線Ｌ１に一致するように配置される筒状部５１を有する。筒状部５１は、その中心軸線に沿ったどの位置でも径が一定の、例えば円筒状に形成される。筒状部５１の内径は、ボス部３４及び後述の突出部６３の径と同じに設定される。筒状部５１の両端には開口が形成されており、一方の開口からはボス部３４が挿入され、他方の開口からは突出部６３が挿入されている。つまり、筒状部５１は、ボス部３４及び突出部６３の両方の外周面に接触した形で両方の外周面を取り囲むように設けられる。
【００３６】
ここで、後述の導光部６、上側カバーバルブ５及び指針３が一体に回転するように、突出部６３と筒状部５１とは回転軸線Ｌ１の回りに相対的な回転が不能に固定されている。詳しくは、突出部６３の外周面と筒状部５１の内周面とが圧力が加えられた状態で突出部６３が筒状部５１に挿入される圧入により、突出部６３と筒状部５１とは回転軸線Ｌ１の回りに相対的な回転が不能となっている。同様に、ボス部３４が筒状部５１に圧入されることにより、ボス部３４と筒状部５１とは回転軸線Ｌ１の回りに相対的な回転が不能に固定されている。なお、筒状部５１の内周面に凸部又は凹部を設け、突出部６３やボス部３４の外周面に、筒状部５１の内周面に形成された凸部又は凹部が嵌る凹部又は凸部を形成することで、筒状部５１と突出部６３又はボス部３４とを固定しても良い。
【００３７】
また、筒状部５１の長さは、一端がキャップ４の内側に位置し、他端が後述のケース１０により形成される区画１０３の内側に位置する長さに設定されている。さらに、筒状部５１の長さは、指針受光部３５と、突出部６３の先端部６４との間隔が所定値となる長さに設定される。その所定値がゼロの場合には、指針受光部３５と先端部６４とは接触することを意味する。
【００３８】
なお、文字板２及びケース１０の前面部１０１にはそれぞれ開口２１、１０４が形成されている。それら開口２１、１０４は互いに重なる位置に形成される。開口２１、１０４の内側に筒状部５１が配置されている。つまり、筒状部５１は、文字板２及び前面部１０１の表面、裏面間を貫通する形に設けられている。
【００３９】
上側カバーバルブ５は、基部３２の背面３３ｂの全範囲を覆う背面遮光部５２を有する。背面遮光部５２は、筒状部５１のボス部３４が挿入される側の端部と接続されている。背面遮光部５２は、筒状部５１の軸線に対して直角な方向に形成され、別の言い方をすると、キャップ４の内側において背面３３ｂに対向するよう水平方向に延びた平板状に形成される。背面遮光部５２は、例えば図１の正面から見たときにキャップ４の正面形状と同様に正面視円形に形成される。背面遮光部５２は少なくとも基部３２の固定部３２ｂの背面に接触している。
【００４０】
背面遮光部５２の、貫通孔３９と重なる位置には、上述のボス部４４が挿入される貫通孔５３が形成されている。なお、筒状部５１と背面遮光部５２とは一体成形品である。
【００４１】
文字板２の背面側には、ＰＰ（ポリプロピレン）樹脂、ＡＢＳ樹脂等の遮光性を有する部材で形成されたケース１０が配置されている。そのケース１０は、文字板２の背面に沿って設けられて文字板２を支持する前面部１０１と、後述の基板９と前面部１０１との間を架け渡す形、かつ、後述の光源８の周囲を取り囲む形に設けられて、光源８からの光を反射するリフレクタとして機能する側壁部１０２とを有する。これら前面部１０１、側壁部１０２は一体成形品とされているが、別体で形成されたとしても良い。側壁部１０２の内側に、光源８、導光部６及び下側カバーバルブ７が配置される区画１０３が形成される。
【００４２】
また、文字板２の背面側には各種部品を実装した基板９が配置されている。その基板９は、文字板２と所定間隔を空けて文字板２と平行に配置される。基板９の表面（文字板２側の面）には、指針３を照明するための複数の光源８が実装されている。光源８は例えばＬＥＤ（Light Emitting Diode、発光ダイオード）である。各光源８は回転軸線Ｌ１を中心とした円周方向に等間隔で配置される。また、光源８は、指針３の方向、言い換えると文字板２の方向に発光するように設けられる。光源８は必要に応じた個数だけ設けられるが、例えば４個とすることができる。
【００４３】
なお、基板９には、指針照明用の光源８の他に、文字板２の指標部等を照明するための光源も実装されている。
【００４４】
また、基板９の背面には指針３を回転させるための駆動部として機能するムーブメント１１０（モータ）が実装されている。基板９には、回転軸線Ｌ１の位置に貫通孔９１が形成されている。その貫通孔９１に、ムーブメント１１０のシャフト１１１（回転軸）が挿入されている。そして、シャフト１１１は、回転軸線Ｌ１の位置において基板９から文字板２の方向に突出した形に設けられる。
【００４５】
基板９には、計器１の動作を制御する制御部（図示外）も実装されている。制御部は、車両状態を計測するセンサから計測値を取得して、その計測値に応じた量だけ指針３が回転するようにムーブメント１１０を制御する。また、制御部は光源８の発光を制御する。
【００４６】
光源８とボス部３４（基部３２）の間には、光源８からの光を指針受光部３５まで導く導光部６が配置されている。導光部６は、アクリル樹脂、ポリカーボネート等の導光性を有する部材で形成されている。導光部６は、指針３とは別体で設けられている。導光部６は、回転軸線Ｌ１から径方向にずれた位置において各光源８に対向する位置に光源８からの光を受光する受光部６１を有する。その受光部６１は、正面から見ると、複数の光源８の配列方向である円周方向に沿った形状、つまり回転軸線Ｌ１を中心とした円形（環状）に形成されている。また、受光部６１と光源８との間隔は小さい方が好ましく、例えば１ｍｍ程度に設定される。
【００４７】
突出部６３の中心軸線を導光部６の中心軸線としたとき、導光部６は、受光部６１からの一部６２ａが、指針３側の方向かつ導光部６の中心軸線に平行に延びた形状に形成される。また、その平行に延びた部分６２ａを平行部として、導光部６は、平行部６２ａの、受光部６１と反対側の端部に一端が接続して、指針３側に近づくにしたがって次第に回転軸線Ｌ１が位置する中央位置に近づいていく傾斜部６２ｂを有する。その傾斜部６２ｂの、平行部６２ａが接続される側と反対側の端部が、中央位置に形成された例えば円柱状の軸部６７の側面に接続されている。
【００４８】
なお、平行部６２ａ及び傾斜部６２ｂをスカート部６２として、そのスカート部６２の内側には、シャフト１１１を配置するための空間が形成されている。スカート部６２を、導光部６の中心軸線に直交する平面で切ったときの断面は、導光部６の中心軸線を中心とした円形となっている。その断面の径は、指針３側に近づくにしたがって次第に小さくなっていき、最終的に突出部６３の径と同じとなる。
【００４９】
軸部６７の、傾斜部６２ｂとの接続部より指針３側の部分６３は、回転軸線Ｌ１と一致した位置に中心軸線を有して回転軸線Ｌ１の方向に突出した形状に形成される。言い換えると、導光部６は、傾斜部６２ｂと軸部６７との接続部から上方向（指針３側の方向）に突出する上側突出部６３を有する。上側突出部６３が筒状部５１に挿入されている。上側突出部６３の先端部６４は、上側突出部６３の中心軸線、言い換えると指針３の回転軸線Ｌ１に直角な平面状に形成される。なお、先端部６４の外周は面取りが施されている。先端部６４は、受光部６１で受光し、導光部６内を進行した光の出射部として機能する。出射部６４と指針受光部３５とは、隙間を有した形で又は接触した形で対向した位置関係に配置される。また、上側突出部６３の内部には空洞部が形成されていない。
【００５０】
軸部６７の、傾斜部６２ｂとの接続部より光源８側の部分６５は、回転軸線Ｌ１と一致した位置に中心軸線を有して回転軸線Ｌ１の方向に突出した形状に形成される。言い換えると、導光部６は、傾斜部６２ｂと軸部６７との接続部から下方向（光源８側の方向）に突出する下側突出部６５を有する。下側突出部６５の先端面の中心位置には、シャフト挿入孔６６が形成されている。そのシャフト挿入孔６６は、下側突出部６５の中心軸線の方向に所定の深さを有している。シャフト挿入孔６６には、ムーブメント１１０のシャフト１１１が圧入されている。これにより、シャフト１１１の回転に連動して、導光部６及びこれに接続した上側カバーバルブ５、指針３及び後述の下側カバーバルブ７が回転軸線Ｌ１の回りに回転可能となる。
【００５１】
導光部６の外周面を取り囲むように下側カバーバルブ７が設けられている。下側カバーバルブ７と導光部６とは２色成形品（一体成形品）である。なお、下側カバーバルブ７と、導光部６とは別体で形成して、それらをカシメ等の固定手段で固定することで一体品としても良い。
【００５２】
下側カバーバルブ７は、ＰＰ（ポリプロピレン）樹脂、ＡＢＳ樹脂等の遮光性を有する部材で例えば黒色の板状に形成されている。なお、下側カバーバルブ７は、光の反射効率を上げるために、遮光性を有する部材のうちでも特に反射効率の高い部材（例えば白色部材）で形成されたとしても良い。また、下側カバーバルブ７は、内周面は白色部材で形成され、他の部分は黒色部材で形成されたとしても良い。さらに、下側カバーバルブ７の内周面に、反射効率を高めるために鏡面仕上げを施しても良い。その鏡面仕上げは、２色成形を行うための型の表面凹凸を小さくすることで実現できる。
【００５３】
下側カバーバルブ７は、スカート部６２の外周面に沿った形状を有して、下側カバーバルブ７の内周面がスカート部６２の外周面に接着した形で設けられる接着部７１を有する。また、下側カバーバルブ７は、接着部７１の受光部６１側の端部から、回転軸線Ｌ１を中心とした円における径方向外側に突出したフランジ部７２を有する。このフランジ部７２は、光源８からの光が、下側カバーバルブ７の外側に漏れるのを抑制するためのものである。なお、フランジ部７２に加えて、フランジ部７２の先端から直角方向かつ基板９側に折れ曲がった形状を形成しても良い。これによれば、より一層、光源８の漏れ光を抑制できる。
【００５４】
さらに、下側カバーバルブ７は、接着部７１のフランジ部７２が接続された側と反対側の端部に接続された筒状カバー部７３を有する。その筒状カバー部７３は、一端が接着部７１に接続されてその接続部から下側カバーバルブ７の中心軸線と平行な方向（つまり回転軸線Ｌ１に平行な方向）に延びた筒状に形成されている。筒状カバー部７３は、図２の紙面に直交する平面で切ったときの断面が筒状部５１より大径且つ筒状部５１の断面に相似する形状に形成されている。筒状カバー部７３の外径は筒状部５１の外径より大きく、筒状カバー部７３の内径は筒状部５１の外径と同じか若干大きい径に設定されている。また、筒状カバー部７３の長さは、ケース１０により形成される区画１０３からはみ出さない長さに設定されている。
【００５５】
筒状部５１の導光部６側の端部からの一部が、筒状カバー部７３の内側に配置されている。このとき、筒状カバー部７３の内周面は、筒状部５１の外周面に接触しても良いし、接触していなくても良い。図２では、筒状カバー部７３の内周面と、筒状部５１の外周面とが接触した構成を示している。このように、筒状カバー部７３は、導光部６の外周面のうち接着部７１と筒状部５１との境界に位置する隙間部６８と、筒状部５１の一部とを覆っている。これによって、接着部７１と筒状部５１との隙間部６８から光が漏れてしまうのを抑制できる。
【００５６】
なお、導光部６（スカート部６２）の内周面には遮光性のカバーバルブは配置されていない。これは、導光部６の内周面から光が漏れたとしても、その漏れ光が文字板２の表面側まで進行することは想定しにくいためである。ただし、指針３の照明効率を上げるために、導光部６の内周面にも遮光性のカバーバルブを設けたとしても良い。
【００５７】
各部品の組付けは例えば以下のように行う。すなわち、ボス部３４を筒状部５１に圧入固定する。その後、キャップ本体４１を基部３２の上から被せて、熱カシメ４５を施すことで、指針３、上側カバーバルブ５及びキャップ本体４１を一体化する。その後、内側カバー４２を基部３２に固定する。なお、内側カバー４２は、キャップ本体４１を基部３２に固定する前に固定しても良い。また、導光部６と下側カバーバルブ７との２色成形品をシャフト１１１に圧入固定する。その後、突出部６３を筒状部５１に圧入固定する。以上により、２色成形品６、７と、指針３、上側カバーバルブ５及びキャップ４の一体品とが、回転軸線Ｌ１回りに一体に回転可能に連結される。
【００５８】
次に、本実施形態の作用効果を説明する。制御部は、車両状態の計測値をセンサから取得して、その計測値に応じた量だけムーブメント１１０のシャフト１１１を回転させる。指針３は、導光部６及び上側カバーバルブ５を介してシャフト１１１に間接的に接続されているので、シャフト１１１の回転に同期して計測値を示す指標位置まで回転する。
【００５９】
また、制御部は、指針３を照明するために、各光源８を発光させる。光源８からの光は受光部６１から導光部６内に入射される。このとき、光源８からの光の一部が受光部６１の位置から横にそれたとしてもフランジ部７２に当たることで、漏れ光を弱めることができ、結果、光が文字板２の表面側に漏れてしまうのを抑制できる。
【００６０】
受光部６１で受光した光は、最初はスカート部６２内を進行して、最終的に中央位置の突出部６３に集束される。このとき、受光部６１から突出部６３までの間にはスカート部６２の外周面に接触した形で下側カバーバルブ７（接着部７１）が設けられるので、スカート部６２から光が漏れてしまうのを抑制できるとともに、下側カバーバルブ７の内周面にて光をスカート部６２の内部側に効率的に反射させることができる。また、受光部６１は環状に形成されているので、シャフト１１１の回転に同期して導光部６が回転したとしても、各光源８からの光を受光部６１で受光することができる。
【００６１】
突出部６３に集束された光は、突出部６３の先端部６４から出射する。その出射光は指針受光部３５からボス部３４に入射される。このとき、突出部６３及びボス部３４は、外周面が接触した形で遮光性の筒状部５１に囲まれているので、突出部６３及びボス部３４から光が漏れてしまうのを抑制できる。
【００６２】
ボス部３４内を進行した光は反射面３７により回転軸線Ｌ１回りの全方向に反射される。反射した光の一部は、指示部３１内を進行し、指示部３１の表面３６から出射する。以上により指示部３１は照明する。一方、反射面３７にて反射した光の一部はリング部３０４から外部に出射する。これにより、リング部３０４は照明する。
【００６３】
このように、本実施形態では、シャフト１１１に接続する導光部６と指針３とを別部品化しているので、受光部６１を光源８の近くに位置させる形状を容易に形成できる。受光部６１を光源８の近くに位置させることで、光源８からの光を受光部６１で効率的に受光させることができ、指針３の照明輝度を向上できる。仮に、シャフトに接続する導光部と、指針とを一体成形品で形成しようとすると、受光部を光源の近くに位置させる形状を形成することは技術的に困難である。
【００６４】
また、基部３２の背面３３ｂを覆う背面遮光部５２が設けられ、その背面遮光部５２と光源８との間に存在する導光性部材６、３４の外周面に接触した形でその外周面の全範囲を取り囲む遮光性部材５１、７が設けられるので、導光性部材６、３４及び背面３３ｂから光が漏れてしまうのを抑制できる。これにより、キャップ４と文字板２との隙間１２０から光が漏れてしまうのを抑制でき、指針３の照明と文字板２との間の明暗のコントラスト差を大きくできる。よって、指針３の視認性を向上できるとともに、計器１の意匠効果を向上できる。
【００６５】
また、導光部６と指針３とを別部品化することで、導光部６、ボス部３４及び背面３３ｂを覆う遮光性部材を上側カバーバルブ５と下側カバーバルブ７とに分割した構成を採用できる。上側カバーバルブ５と下側カバーバルブ７とに分割することで、導光部６、ボス部３４及び背面３３ｂの全範囲を遮光性部材で覆う形状を容易に形成できる。
【００６６】
また、導光部６と指針３とを別部品化することで、シャフト１１１が挿入されるシャフト挿入孔６６に対する成形前後の収縮、膨張、歪の影響を小さくできる。これにより、シャフト挿入孔６６の不良を抑制でき、指針３のぐらつき等を抑制できる。これに対して、導光部と指針とを一体品とすると、指針のボス部を長くしてそのボス部にシャフト挿入孔が形成されることになるので、シャフト挿入孔が形成される部分（ボス部）の長さが長くなる分、収縮、膨張、歪の影響を受けやすくなる。
【００６７】
また、リング部３０４により、キャップ４の頂上部が、切欠きが無い形のリング状に照明するので計器１の意匠効果を向上できる。また、リング部３０４は、先端側の一部がキャップ４の頂上部から突出した形に設けられるので、リング部３０４の照明に立体感を持たせることができ、計器１の意匠効果をより一層向上できる。
【００６８】
また、各光源８からの光は、導光部６により中央位置に集束した形でボス部３４に入射されるので、光源８の配置位置の影響を抑制した形でリング部３０４を照明できる。つまり、リング部３０４の部位間で輝度にばらつきが生じるのを抑制でき、リング部３０４を均等な明るさで照明できる。これに対して、特許文献１のように指針基部と光源との間に導光部を介在させない構成では、リング部の明るさは光源の配置位置の影響を受けやすく、すなわちリング部のうち光源との距離が近い部分は輝度が大きくなる一方で光源からの距離が遠い部分は輝度が小さくなる。
【００６９】
さらに、リング部３０４は、指針３の回転軸線Ｌ１を中心とした円における径方向の、反射面３７より外側に配置されており、反射面３７は回転軸線Ｌ１の回りの全方向に光を反射する形状に形成されているので、リング部３０４の各部に均等に光を供給できる。つまり、リング部３０４を均等な明るさで照明できる。
【００７０】
また、リング部３０４の内側には内側カバー４２が配置されているので、キャップ４の頂上部におけるリング部３０４以外の部分から光が漏れてしまうのを抑制でき、頂上部を綺麗なリング状に照明できる。
【００７１】
また、内側カバー４２は爪嵌合により基部３２に固定されているので、内側カバー４２と基部３２とが２色成形や熱カシメ等により固定された場合に比べて、内側カバー４２と基部３２とを簡単且つ低コストで固定できる。
【００７２】
また、内側カバー４２と基部３２との固定箇所は、リング部３０４の周方向に沿って複数箇所Ｐ４、Ｐ５、Ｐ６（図１、図３参照）に設けられているので、内側カバー４２を強固に基部３２に固定できるとともに、内側カバー４２の外周縁と、キャップ本体４１の内周縁（開口孔４１ｃの縁部）とで形成されるスリットの幅が円周方向の各位置間でばらついてしまうのを抑制できる。つまり、均一な幅のスリットを形成できる。これにより、リング部３０４と内側カバー４２とが干渉して内側カバー４２の組付けが不可能になってしまったり、リング部３０４とスリットの外周縁との隙間が大きくなりすぎてしまったりすることを抑制でき、リング部３０４の照明が真円から歪んでしまうのを抑制できる。
【００７３】
また、各光源８からの光は最終的に回転軸線Ｌ１が位置する中央位置に集束した後、指針３に入射するので、各光源８の光を別々の位置から入射する構成に比べて、周囲に光が漏れてしまうのを抑制できる。
【００７４】
また、導光部６と下側カバーバルブ７は２色成形品（一体成形品）としているので、導光部６の外周面と下側カバーバルブ７の内周面との接触部分の全範囲を強固に接着できる。これにより、導光部６からの光の漏れを抑制できる。
【００７５】
また、上側カバーバルブ５において筒状部５１と背面遮光部５２とは一体成形品としているので、筒状部５１と背面遮光部５２との境界部から光が漏れてしまうのを抑制できる。
【００７６】
また、筒状カバー部７３により接着部７１と筒状部５１との境界に位置する隙間部６８が覆われているので、その隙間部６８からの光の漏れを抑制できる。また、筒状カバー部７３の内周面を筒状部５１の外周面に接触させることで、筒状カバー部７３により筒状部５１の外周面が押さえられることになるので、突出部６３と筒状部５１とを強固に連結でき、ひいては導光部６と指針３とを強固に連結できる。
【００７７】
また、基部３２の背面３３ｂのうち少なくともリング部３０４の背後に位置する部分は平坦面に形成されているので、その平坦面に指示部３１の背面３３ａと同色又は異なる色のパッド印刷などの色付けを容易に行うことができる。これにより、リング部３０４を、指示部３１と同じ照明色調又は異なる照明色調にすることができる。
【００７８】
なお、本発明は上記実施形態に限定されるものではなく、特許請求の範囲の記載を逸脱しない限度で種々の変形が可能である。例えば上記実施形態では、筒状部５１を上側カバーバルブ５の一部として構成した例を示したが、図９に示すように、筒状部を下側カバーバルブ７の一部として構成しても良い。図９の例では、下側カバーバルブ７は、スカート部６２に接着する接着部７１に連続して回転軸線Ｌ１の方向に延びた筒状部７４を有する。その筒状部７４、接着部７１及び導光部６は一体成形品である。筒状部７４の先端は、背面遮光部５２近くに達している。筒状部７４の一方の開口から筒状部７４内に挿入された形で突出部６３が設けられる。筒状部７４の他方の開口から筒状部７４内に挿入された形でボス部３４が設けられる。
【００７９】
一方、上側カバーバルブ５は、ボス部３４及び突出部６３を連結するための筒状部を有していない。詳しくは、上側カバーバルブ５は、指針基部３２の背面３３ｂを覆う背面遮光部５２と、その背面遮光部５２の内縁に接続されて筒状部７４の基部３２側の端部からの一部を覆う筒状カバー部５４とを有する。この筒状カバー部５４により、筒状部７４と背面遮光部５２との間の隙間部が覆われるので、その隙間部から光が漏れるのを抑制できる。
【００８０】
また、上記実施形態では、キャップの頂上部を円形リング状に照明する例を示したが、リング部を、円形以外のリング状（例えば楕円形や多角形のリング状）に形成して、円形以外のリング状に照明しても良い。このように、本明細書においては、リング状とは、始点と終点とが一致する曲線を意味し、円形以外に、楕円形、多角形なども含む意味として用いている。
【００８１】
なお、上記実施形態において、リング部３０４が本発明の透過部に相当する。キャップ本体４１の頂上部４１ａが外側部に相当する。内側カバー４２が内側部に相当する。突出部６３が対向部に相当する。背面遮光部５２が第１遮光部に相当する。接着部７１が第２遮光部に相当する。ムーブメント１１０が駆動部に相当する。
【符号の説明】
【００８２】
１  指針計器、３  指針、３２  指針の基部、３５  指針受光部、３０４  リング部、４  キャップ、４１ａ  キャップ本体の頂上部、４２  内側カバー、６  導光部、６１  受光部、８  光源、１１０  ムーブメント、１１１  ムーブメントのシャフト、Ｌ１  指針の回転軸線
【図１】
2017207308.tif 000003
【図２】
2017207308.tif 000004
【図３】
2017207308.tif 000005
【図４】
2017207308.tif 000006
【図５】
2017207308.tif 000007
【図６】
2017207308.tif 000008
【図７】
2017207308.tif 000009
【図８】
2017207308.tif 000010
【図９】
2017207308.tif 000011